(57)【要約】【課題】同じ室内に配備されている複数の室内機のうち任意の室内機に対し重点的に空気調和装置の空調能力を振り分けることができなかった。【解決手段】圧縮機１と、並列接続された室内側熱交換器５および減圧装置４の複数セットと、熱源機側熱交換器３とが環状に接続されてなる冷媒回路を有し、室内側熱交換器５および減圧装置４のセットが複数の室内機ＩＩＡ，ＩＩＢ，ＩＩＣに個々に配備されており、これら複数の室内機が同じ室内に配備されている空気調和装置において、検知された冷媒回路の空調負荷が冷媒回路について予め設定されている定格暖房能力よりも大きい場合にいずれかの室内機について空調能力セーブ運転または運転停止をさせる制御装置１５を備えている。【選択図】図１
2007271112.tif 000002
【特許請求の範囲】
【請求項１】
圧縮機と、並列接続された室内側熱交換器および減圧装置の複数セットと、熱源機側熱交換器とが環状に接続されてなる暖房用の冷媒回路を有し、前記室内側熱交換器および前記減圧装置のセットが複数の室内機に個々に配備されており前記複数の室内機が同じ室内に配備されている空気調和装置において、前記冷媒回路の空調負荷を検知する空調負荷検知手段と、前記検知された冷媒回路の空調負荷が前記冷媒回路について予め設定されている定格暖房能力よりも大きい場合にいずれかの室内機について空調能力セーブ運転または運転停止をさせる暖房運転制御手段とを備えていることを特徴とする空気調和装置。
【請求項２】
圧縮機と、熱源機側熱交換器と、並列接続された減圧装置および室内側熱交換器の複数セットとが環状に接続されてなる冷房用の冷媒回路を有し、前記減圧装置および前記室内側熱交換器のセットが複数の室内機に個々に配備されており前記複数の室内機が同じ室内に配備されている空気調和装置において、前記冷媒回路の空調負荷を検知する空調負荷検知手段と、前記検知された冷媒回路の空調負荷が前記冷媒回路について予め設定されている定格冷房能力よりも大きい場合にいずれかの室内機について空調能力セーブ運転または運転停止をさせる冷房運転制御手段とを備えていることを特徴とする空気調和装置。
【請求項３】
複数の室内機のそれぞれに、空調能力セーブ運転または運転停止をさせるための優先順位を予め設定し、暖房運転制御手段または冷房運転制御手段のいずれかによる室内機の空調能力セーブ運転または運転停止を、前記設定された各室内機の優先順位に従って実行することを特徴とする請求項１または請求項２に記載の空気調和装置。
【請求項４】
複数の室内機のそれぞれに、空調能力セーブ運転なし、空調能力セーブ運転、または運転停止から選ばれる優先度を予め設定し、暖房運転制御手段または冷房運転制御手段のいずれかによる室内機の空調能力セーブ運転または運転停止を、前記設定された各室内機の優先度も加味して実行することを特徴とする請求項３に記載の空気調和装置。
【請求項５】
複数の室内機が配備された室内の温度を検知する室内温度検知手段と、前記検知された室内温度に基づいて各室内機の空調能力セーブ運転または運転停止に係る優先順位および／または優先度を設定変更する第１優先データ変更手段とを備えていることを特徴とする請求項３または請求項４に記載の空気調和装置。
【請求項６】
複数の室内機が配備された室内の床面温度を検知する床面温度検知手段または前記室内の壁面温度を検知する壁面温度検知手段と、前記検知された床面温度または壁面温度に基づいていずれかの室内機の空調能力セーブ運転または運転停止に係る優先順位および／または優先度を設定変更する第２優先データ変更手段とを備えていることを特徴とする請求項３または請求項４に記載の空気調和装置。
【発明の詳細な説明】
【技術分野】
【０００１】
本発明は、複数の室内機が同じ室内に配備される空気調和装置に係り、空調負荷に対する空気調和装置の能力不足を検知し、一部の室内機に空調能力セーブ運転または運転停止をさせて特定の室内機の空調能力を確保するようにした空気調和装置に関する。
【背景技術】
【０００２】
従来、この種の空気調和装置としては、例えば下記特許文献１に記載された装置が知られている。下記文献記載の空気調和装置は、圧縮機と、並列接続された室内側熱交換器および減圧装置の複数セットと、熱源機側熱交換器とが環状に接続されて成る冷媒回路を有し、室内側熱交換器および減圧装置のセットが複数の室内機に個々に配備されており、複数の室内機が同じ室内に配備されるようになっている。
【０００３】
【特許文献１】特開平８−７５２８０号公報
【発明の開示】
【発明が解決しようとする課題】
【０００４】
通常、比較的広い部屋には空気調和装置の室内機が複数台配備される。このような部屋は同じ室内でありながら、日当りのよい場所、日の当たらない場所、発熱機器が設置されていて室内空気の温度が高くなりやすい場所などが混在している。そして、日当りのよい場所では夏場に少しでも多くの冷房能力を必要とするが、日の当たらない場所では冷房能力がいくぶん低くくても構わないことが多い。これは、冬場の暖房運転においても同様である。しかしながら、上記文献記載の空気調和装置において、同じ室内に配備されていても各室内機はそれぞれの空調負荷に合わせて空調能力が制御されるために、任意の室内機に対し重点的に空気調和装置の空調能力を振り分けるということができなかった。
【課題を解決するための手段】
【０００５】
そこで、この発明に係る空気調和装置は、圧縮機と、並列接続された室内側熱交換器および減圧装置の複数セットと、熱源機側熱交換器とが環状に接続されてなる暖房用の冷媒回路を有し、前記室内側熱交換器および前記減圧装置のセットが複数の室内機に個々に配備されており前記複数の室内機が同じ室内に配備されている空気調和装置において、前記冷媒回路の空調負荷を検知する空調負荷検知手段と、前記検知された冷媒回路の空調負荷が前記冷媒回路について予め設定されている定格暖房能力よりも大きい場合にいずれかの室内機について空調能力セーブ運転または運転停止をさせる暖房運転制御手段とを備えていることを特徴とするものである。
【発明の効果】
【０００６】
この発明に係る空気調和装置によれば、検知された冷媒回路の空調負荷がその冷媒回路の定格暖房能力や定格冷房能力よりも大きい場合に、同じ室内を空調している複数の室内機のいずれかについて空調能力セーブ運転または運転停止をさせるので、空調負荷が定格能力より大きい場合に複数の室内機の空調能力を一律に低下させるといったことがなく、通常、大きな空調能力を必要とする室内機については大きな空調能力を確保することができる。
【発明を実施するための最良の形態】
【０００７】
実施の形態１．
以下、この発明の実施形態を説明する。図１はこの発明の実施形態に係る空気調和装置の冷媒回路を示すものである。
図１に示す空気調和装置において、１は容量可変な圧縮機、２は冷房運転と暖房運転とで冷媒流通方向を切換える四方弁、３は熱源機側熱交換器、４Ａ，４Ｂ，４Ｃは冷媒回路の冷媒流量を制御する減圧装置、５Ａ，５Ｂ，５Ｃは室内側熱交換器であり、これらが上記説明の順で環状に配管接続されて冷媒回路を構成している。尚、直列に接続された減圧装置４Ａおよび室内側熱交換器５Ａのセット、直列に接続された減圧装置４Ｂおよび室内側熱交換器５Ｂのセット、および直列に接続された減圧装置４Ｃおよび室内側熱交換器５Ｃのセットはそれぞれ並列に接続されている。
【０００８】
また、６は風速可変な熱源機側送風機であり熱源機側熱交換器３に空気を送風する。７Ａ，７Ｂ，７Ｃは室内側送風機であり室内側熱交換器５Ａ，５Ｂ，５Ｃにそれぞれ空気を送風する。８Ａ，８Ｂ，８Ｃは各室内機に吸い込まれる空気の温度を検知する室内温度検知手段、９Ａ，９Ｂ，９Ｃは室内の床面温度を検知する床面温度検知手段、１０Ａ，１０Ｂ，１０Ｃは減圧装置４Ａ，４Ｂ，４Ｃと室内側熱交換器５Ａ，５Ｂ，５Ｃの間の冷媒配管温度をそれぞれ検知する第1の温度検知手段、１１Ａ，１１Ｂ，１１Ｃは室内側熱交換器５Ａ，５Ｂ，５Ｃと四方弁２の間の冷媒配管温度をそれぞれ検知する第２の温度検知手段、１２は圧縮機１の吐出側に接続されて高圧側圧力を検知する第１の圧力検知手段、１３は圧縮機１の吸入側に接続されて低圧側圧力を検知する第２の圧力検知手段、１４Ａ，１４Ｂ，１４Ｃは室内の壁面の温度を検知する壁面温度検知手段、１５は本実施形態に係る制御を行なう制御装置である。また、Ｉは熱源機、ＩＩＡ，ＩＩＢ，ＩＩＣはそれぞれ室内機を示している。熱源機Ｉには圧縮機１、四方弁２、熱源機側熱交換器３、および制御装置１５が配備されている。室内機ＩＩＡには減圧装置４Ａおよび室内側熱交換器５Ａのセットが配備され、室内機ＩＩＢには減圧装置４Ｂおよび室内側熱交換器５Ｂのセットが配備され、室内機ＩＩＣには減圧装置４Ｃおよび室内側熱交換器５Ｃのセットが配備されている。
【０００９】
上記した制御装置１５は、図２に示すように、汎用のＣＰＵ１６、メモリＭ、データバス１７などを備えている。ＣＰＵ１６は、いずれも後で詳述する、空調負荷検知手段１８、冷房運転制御手段１９、暖房運転制御手段２０、第１優先データ変更手段２１、第２優先データ変更手段２２の各機能を備えている。尚、前記の各機能を有する制御装置１５は、熱源機Ｉでなく、室内機ＩＩＡ，ＩＩＢ，ＩＩＣのいずれかに設けても構わない。
【００１０】
次に、図１に示した冷媒回路の冷媒の流れを説明する。まず「冷房運転」において、圧縮機１を吐出した冷媒は、四方弁２を経由し熱源機側熱交換器３で熱源側送風機６から送風された空気と熱交換して凝縮液化し、減圧装置４Ａ，４Ｂ，４Ｃで減圧され、室内側熱交換器５Ａ，５Ｂ，５Ｃで室内側送風機７Ａ，７Ｂ，７Ｃから送風された空気と熱交換して蒸発ガス化し、四方弁２を経由して圧縮機１の吸入側に戻る。
【００１１】
この時、圧縮機１の容量と熱源機側送風機６の風速を制御することにより、第１の圧力検知手段１２の圧力検知値から換算した飽和温度、および第２の圧力検知手段１３の圧力検知値から換算した飽和温度をそれぞれ所定の目標値に調整する。また、各減圧装置４Ａ，４Ｂ，４Ｃを制御することにより、各第２の温度検知手段１１Ａ，１１Ｂ，１１Ｃの検知温度と各第１の温度検知手段１０Ａ，１０Ｂ，１０Ｃの検知温度との差であるスーパーヒートをそれぞれ調整する。尚、スーパーヒートを大きくする程、室内機ＩＩＡ，ＩＩＢ，ＩＩＣの空調能力を大きくセーブすることができる。
【００１２】
一方、「暖房運転」では、四方弁２の駆動により冷媒回路の冷媒流路が暖房用に切り換えられる。そこで、圧縮機１を吐出した冷媒は、四方弁２を経由し室内側熱交換器５Ａ，５Ｂ，５Ｃで室内側送風機７Ａ，７Ｂ，７Ｃから送風される空気と熱交換して凝縮液化し、減圧装置４Ａ，４Ｂ，４Ｃで減圧され、熱源機側熱交換器３で熱源側送風機６から送風される空気と熱交換して蒸発ガス化し、四方弁２を経由して圧縮機１の吸入側に戻る。
【００１３】
この時、圧縮機１の容量と熱源機側送風機６の風速を制御することにより、第１の圧力検知手段１２の圧力検知値の飽和温度および第２の圧力検知手段１３の圧力検知値の飽和温度を所定の目標値に調整する。また、各減圧装置４Ａ，４Ｂ，４Ｃを制御することにより、各第１の圧力検知手段１２の圧力検知値から換算した飽和温度と各第１の温度検知手段１０Ａ，１０Ｂ，１０Ｃの検知温度との差であるそれぞれのサブクールを調整する。尚、サブクールを大きくする程、室内機ＩＩＡ，ＩＩＢ，ＩＩＣの能力を大きくセーブすることができる。
【００１４】
次に、この空気調和装置による室内機能力偏重方法の一例につき、図３、および図４または図５を参照して説明する。図３は１つの部屋に３台の室内機ＩＩＡ，ＩＩＢ，ＩＩＣがすべて配備された例を示す図である。部屋は場所によって負荷の高い領域、中負荷の領域、低負荷の領域が区分けされる。そこで、例えば高負荷の室内機ＩＩＡは「優先順位１」かつ「優先度ａ」が、中負荷の室内機ＩＩＣは「優先順位２」かつ「優先度ｂ」が、低負荷の室内機ＩＩＢは「優先順位３」かつ「優先度ｃ」が予め設定されメモリＭに格納されているものとする。前記した優先順位は複数の室内機ＩＩＡ，ＩＩＢ，ＩＩＣのそれぞれに、空調能力セーブ運転または運転停止を実施させるためのものである。また、優先度ａは「システム全体としての能力より負荷が高いと検知した場合に能力セーブや運転停止の実施はしない設定」である。優先度ｂは「システム全体としての能力より負荷が高いと検知した場合に優先順位によって能力セーブを実施する設定」である。優先度ｃは「システム全体としての空調能力より空調負荷が高いと検知した場合に優先順位に加味して空調能力セーブ運転または運転停止を実施する設定」である。なお優先順位及び優先度は、リモコン等により予めプログラミングしておく。このリモコンの入力では、リモコンに設定している室内機ON−OFFボタン、温度設定上下ボタン、風速設定ボタン、吹き出し角度ボタンおよび設定画面が設置されており、例えばそのうち風速設定ボタンと吹き出し角度ボタンの２つを同時に5秒間押したとき、対象室内機とその優先順位、優先度選定画面が表示される。そして変更したい項目となる対象室内機、優先順位、優先度の選択を例えば吹き出し角度ボタンを押すごとに選択でき、選択後に温度設定上下ボタンにより変更する。設定終了した後に風速設定ボタンと吹き出し角度ボタンの２つを同時に5秒間押すことにより優先順位及び優先度の設定を終了し、リモコンの画面は初期画面に戻る。また、本実施例ではリモコン上で設定したが、パソコンから通信により制御装置１５のメモリMに格納しても良い。この場合優先順位、優先度選定画面の選択や、優先順位、優先度の設定は、パソコン上の選択ボタンにより変更すれば良い。
【００１５】
ここで、「冷房運転」における制御装置１５の処理手順を図４のフローチャートも用いて説明する。まず、各室内機ＩＩＡ，ＩＩＢ，ＩＩＣに、上記した優先度を予め設定しておく（ステップ１）。この場合、優先度はリモコン等から設定し制御装置１５のメモリＭに格納しておく。次に、各室内機ＩＩＡ，ＩＩＢ，ＩＩＣに、上記した優先順位を予め設定しておく（ステップ２）。この優先順位もリモコン等から設定しメモリＭに格納しておく。その後、冷房運転を開始し（ステップ３）、圧縮機１の運転開始後の経過時間が１０分経過したかを判定する（ステップ４）。１０分経過を判断した後、室内機運転台数変化後または冷房能力セーブ運転変化後に５分経過したかを判定する（ステップ５）。室内機台数変化後経過時間５分経過を判断した場合、ＣＰＵ１６の空調負荷検知手段１８は、容量可変な圧縮機１の現在の容量を冷媒回路の冷房負荷として検知する。そして、冷房運転制御手段１９は、検知された圧縮機１の容量が、予め設定されメモリＭに格納されている最大容量値（定格冷房能力）に達しているかを判断し（ステップ６）、最大容量値に達していると判断した場合は、第２の圧力検知手段１３の圧力検知値から換算して求めた低圧飽和温度から低圧飽和温度の目標値を引いた値が２以上かを判断する（ステップ７）。求めた換算低圧飽和温度から低圧飽和温度の目標値を引いた値が２以上の場合は、この値が２以上４未満かどうかを判断する（ステップ８）。換算低圧飽和温度から低圧飽和温度の目標値を引いた値が２以上４未満の場合は、冷房負荷に対してシステム全体の冷房能力が不足気味と判断して、優先順位の若い順番に１台の室内機を冷房能力セーブ運転する（ステップ９）。尚、冷房能力セーブ運転の方法はスーパーヒートの目標値を高い値に設定変更することで実施する。また、優先度ａの室内機に対してはこの冷房能力セーブ運転を実施しない。換算低圧飽和温度から低圧飽和温度の目標値を引いた値が４以上の場合は、冷房負荷に対してシステム全体の冷房能力が不足していると判断して、優先度ａの室内機を除く室内機の中で優先順位の若い順に１台の室内機を冷房能力セーブ運転する。その際に冷房能力セーブ運転する室内機がない場合は、優先度ｃの室内機に限って優先順位の若い順に運転停止をする（ステップ１０）。
【００１６】
このように、本実施形態の空気調和装置によれば、ＣＰＵ１６の空調負荷検知手段１８により検知された冷媒回路の冷房負荷（空調負荷）がその冷媒回路の定格冷房能力よりも大きい場合に、同じ室内を冷房している複数の室内機ＩＩＡ，ＩＩＢ，ＩＩＣのいずれかについて冷房運転制御手段１９が空調能力セーブ運転または運転停止をさせるので、冷房負荷が定格冷房能力より大きい場合に複数の室内機ＩＩＡ，ＩＩＢ，ＩＩＣの冷房能力を一律に低下させるといったことがなく、通常、大きな冷房能力を必要とする室内機（例えば、ＩＩＡ）については大きな冷房能力を確保することができる。
【００１７】
そして、複数の室内機ＩＩＡ，ＩＩＢ，ＩＩＣのそれぞれに冷房能力セーブ運転または運転停止をさせるための優先順位を設けてあるため、自動的に特定の室内機に対して冷房能力を確保することができる。また、冷房能力セーブ運転なし、冷房能力セーブ運転、運転停止といった内容の優先度を複数の室内機ＩＩＡ，ＩＩＢ，ＩＩＣのそれぞれに設定してあるため、冷房能力セーブ運転または運転停止をしたくない室内機については冷房能力セーブ運転または運転停止をさせないよう、優先順位に加味して制御することができる。
【００１８】
次に、「暖房運転」における制御装置１５の処理手順を図５のフローチャートも用いて説明する。この運転においても、各室内機ＩＩＡ，ＩＩＢ，ＩＩＣに、上記した優先度をリモコン等から予め設定し制御装置１５のメモリＭに格納しておく（ステップ１）。次に、各室内機ＩＩＡ，ＩＩＢ，ＩＩＣの優先順位をリモコン等から予め設定しメモリＭに格納しておく（ステップ２）。その後、暖房運転を開始し（ステップ３）、圧縮機１の運転開始後の経過時間が１０分経過したかを判定する（ステップ４）。１０分経過を判断した後、室内機運転台数変化後または能力セーブ運転変化後に５分経過したかを判定する（ステップ５）。室内機台数変化後の５分経過を判断した場合、ＣＰＵ１６の空調負荷検知手段１８は、容量可変な圧縮機１の現在の容量を冷媒回路の暖房負荷として検知する。そして、暖房運転制御手段２０は、検知された圧縮機１の容量が、予め設定されてメモリＭに格納されている最大容量値（定格暖房能力）に達しているかを判断し（ステップ６）、最大容量値に達していると判断した場合は、第１の圧力検知手段１２の圧力検知値における冷媒飽和温度である高圧飽和温度の目標値から、換算により求めた高圧飽和温度を引いた値が２以上かを判断する（ステップ７）。高圧飽和温度目標値から換算高圧飽和温度を引いた値が２以上の場合は、この値が２以上４未満かどうかを判断する（ステップ８）。高圧飽和温度目標値から換算高圧飽和温度を引いた値が２以上４未満の場合は、暖房負荷に対してシステム全体の能力が不足気味と判断して、優先順位の若い順番に１台の室内機を暖房能力セーブ運転する（ステップ９）。尚、暖房能力セーブ運転の方法はサブクールの目標値を高い値に設定変更することで実施する。また、優先度ａの室内機に対してはこの暖房能力セーブ運転を実施しない。高圧飽和温度目標値から換算高圧飽和温度を引いた値が４以上の場合は、暖房負荷に対してシステム全体の暖房能力が不足していると判断して、優先度ａの室内機を除く室内機の中で優先順位の若い順に１台の室内機を暖房能力セーブ運転する。その際に暖房能力セーブ運転をする室内機がない場合は、優先度ｃの室内機に限って優先順位の若い順に運転停止をするのである（ステップ１０）。
【００１９】
このように、暖房運転の場合も、ＣＰＵ１６の空調負荷検知手段１８により検知された冷媒回路の暖房負荷（空調負荷）がその冷媒回路の定格暖房能力よりも大きい場合に、同じ室内を空調している複数の室内機ＩＩＡ，ＩＩＢ，ＩＩＣのいずれかについて暖房運転制御手段２０が暖房能力セーブ運転または運転停止をさせるので、暖房負荷が定格能力より大きい場合に複数の室内機ＩＩＡ，ＩＩＢ，ＩＩＣの暖房能力を一律に低下させるといったことがなく、通常大きな暖房能力を必要とする室内機について大きな暖房能力を確保することができる。
【００２０】
また、複数の室内機ＩＩＡ，ＩＩＢ，ＩＩＣのそれぞれに暖房能力セーブ運転または運転停止をさせるための優先順位を設けてあるため、自動的に特定の室内機に対して暖房能力を確保することができる。また、暖房能力セーブ運転なし、暖房能力セーブ運転、運転停止といった内容の優先度を複数の室内機ＩＩＡ，ＩＩＢ，ＩＩＣのそれぞれに設定してあるため、暖房能力セーブ運転または運転停止をしたくない室内機については暖房能力セーブ運転または運転停止をさせないよう、優先順位に加味して制御することができる。
【００２１】
尚、上記した実施の形態では、各室内機の冷房運転または暖房運転に係る優先度および優先順位を予め設定して制御装置１５のメモリＭに格納しておくとしたが、本発明はそれに限定されるものでない。例えば、別の実施の形態として、同じ室内に配備された複数の室内機の室内空気吸込口近傍にそれぞれ設けられて室内空気の温度を検知する室内温度検知手段８ａ，８ｂ，８ｃの検知値とその目標値に基づいて、ＣＰＵ１６の第１優先データ変更手段２１が各室内機の空調（冷房／暖房）能力セーブ運転または運転停止に係る優先順位および優先度、あるいは優先順位または優先度のいずれかを設定変更してメモリＭに書き換えするようにしてもよい。
【００２２】
このように構成した場合は、検知された室内温度に基づいて各室内機の空調能力セーブ運転または運転停止に係る優先順位と優先度が決定されるため、室内機の空調能力確保の優先順位と優先度を室内空気の温度によって自動的に設定することができる。
【００２３】
また、更に別の実施の形態として、同じ室内に配備された複数の室内機にそれぞれ設けられて室内の床面温度を検知する床面温度検知手段９ａ，９ｂ，９ｃの検知値とその目標値に基づいて、ＣＰＵ１６の第２優先データ変更手段２２が各室内機の空調能力セーブ運転または運転停止に係る優先順位および優先度、あるいは優先順位または優先度のいずれかを設定変更してメモリＭに書き換えするようにしてもよい。
また、他の実施の形態として、同じ室内に配備された複数の室内機にそれぞれ設けられて室内の壁面温度を検知する壁面温度検知手段１４Ａ，１４Ｂ，１４Ｃにより検知された壁面温度に基づいて、第２優先データ変更手段２２が各室内機の空調能力セーブ運転または運転停止に係る優先順位および優先度、あるいは優先順位または優先度のいずれかを設定変更してメモリＭに書き換えるようにしてもよい。
【００２４】
このように、室内機に床面温度検知手段または壁面温度検知手段を備え、それらの検知値によって各室内機の空調能力セーブ運転または運転停止に係る優先順位と優先度が決定されるため、室内機の空調能力確保の優先順位と優先度を床面や壁面といった躯体の温度によって自動的に設定できるのである。
【図面の簡単な説明】
【００２５】
【図１】本発明の実施の形態における空気調和装置の冷媒回路図である。
【図２】前記空気調和装置の制御構成を示すブロック図である。
【図３】前記空気調和装置が適用される室内の空調負荷を説明するための図である。
【図４】前記空気調和装置における冷房運転時の室内機能力セーブまたは運転停止に係る処理手順を示すフローチャートの図である。
【図５】前記空気調和装置における暖房運転時の室内機能力セーブまたは運転停止に係る処理手順を示すフローチャートの図である。
【符号の説明】
【００２６】
１  圧縮機、２  四方弁、３  熱源機側熱交換器、４Ａ，４Ｂ，４Ｃ  減圧装置、５Ａ，５Ｂ，５Ｃ  室内側熱交換器、６  熱源機側送風機、７Ａ，７Ｂ，７Ｃ  室内側送風機、８Ａ，８Ｂ，８Ｃ  室内温度検知手段、９Ａ，９Ｂ，９Ｃ  床面温度検知手段、１０Ａ，１０Ｂ，１０Ｃ  第1の温度検知手段、１１Ａ，１１Ｂ，１１Ｃ  第２の温度検知手段、１２  第１の圧力検知手段、１３  第２の圧力検知手段、１４Ａ，１４Ｂ，１４Ｃ  壁面温度検知手段、１５  制御装置、１８  空調負荷検知手段、１９  冷房運転制御手段、２０  暖房運転制御手段、２１  第１優先データ変更手段、２２  第２優先データ変更手段、Ｉ  熱源機、ＩＩＡ，ＩＩＢ，ＩＩＣ  室内機、Ｍ  メモリ。
【図１】
2007271112.tif 000003
【図２】
2007271112.tif 000004
【図３】
2007271112.tif 000005
【図４】
2007271112.tif 000006
【図５】
2007271112.tif 000007